(57)【要約】【課題】従来の１次元センサ式の画像読取装置では読取ることができなかった、大サイズの原稿を読取ることができる画像読取装置を提供する。【解決手段】画像読取装置は、２次元に配列された複数の画素を有する読取部２を用いて原稿の読取りを行なう。複数の画素のそれぞれは、原稿からの光を検出する光電変換部を含む。原稿自動搬送装置（ＡＤＦ）１３により読取部２上を搬送される原稿を、読取部２の複数の画素のうち、斜めのラインに並ぶ複数の画素１２を用いて読取る。これにより、読取部２のサイズよりも大きな原稿の読取りが可能である。【選択図】図７
2010081467.tif 000002
【特許請求の範囲】
【請求項１】
２次元に配列された複数の画素を有する読取部を用いて原稿の読取りを行なう画像読取装置であって、
前記複数の画素のそれぞれは、前記原稿からの光を検出する光電変換部を含み、
前記読取部上を搬送される原稿を、前記読取部の複数の画素のうち、斜めのラインに並ぶ複数の画素を用いて読取る読取手段を備えた、画像読取装置。
【請求項２】
前記複数の画素のそれぞれは、前記原稿を照射する光源部と、前記原稿からの反射光を受光する撮像素子とを含み、
前記原稿は、原稿自動搬送装置で搬送され、
前記読取手段は、前記原稿を、前記読取部の短辺および長辺のいずれにも平行でない１次元のエリアを利用して読取る、請求項１に記載の画像読取装置。
【請求項３】
前記読取部は、読取ガラスを備え、
前記読取部は、セットされた原稿を全面または一部の面で読取ることが可能であり、
前記読取部は、前記読取ガラスの原稿読取位置において、搬送される原稿の画像を、前記読取ガラスを通して読取ることが可能である、請求項１または２に記載の画像読取装置。
【請求項４】
前記斜めのラインは、主走査方向に１つ進んだ画素、およびその画素から副走査方向に１つ進んだ画素の選択を繰り返すことにより形成されるラインである、請求項１から３のいずれかに記載の画像読取装置。
【請求項５】
前記斜めのラインは、主走査方向および副走査方向それぞれに１つ進んだ画素の選択を繰り返すことにより形成されるラインである、請求項１から３のいずれかに記載の画像読取装置。
【請求項６】
前記読取部の１画素の縦横比が、前記読取部の読取エリアの縦横比と同じである、請求項１から５のいずれかに記載の画像読取装置。
【請求項７】
前記原稿を搬送する原稿自動搬送装置は、前記読取部の面に対して垂直方向にある回転軸を中心に回転することが可能に取付けられる、請求項１から６のいずれかに記載の画像読取装置。
【請求項８】
前記複数の画素のそれぞれは、光源部として、エレクトロルミネッセンス素子を含み、画素毎に配置された薄膜トランジスタにより、その発光が制御される、請求項１から７のいずれかに記載の画像読取装置。
【請求項９】
前記複数の画素のそれぞれは、光源部として、白色バックライト光源とカラーフィルタと液晶パネルとを含み、画素毎に配置された薄膜トランジスタにより、その発光が制御される、請求項１から７のいずれかに記載の画像読取装置。
【請求項１０】
２次元に配列された複数の画素を有する読取部を用いて原稿の読取りを行なう画像読取装置の制御方法であって、
前記複数の画素のそれぞれは、前記原稿からの光を検出する光電変換部を含み、
前記読取部上を搬送される原稿を、前記読取部の複数の画素のうち、斜めのラインに並ぶ複数の画素を用いて読取る読取ステップを備えた、画像読取装置の制御方法。
【請求項１１】
２次元に配列された複数の画素を有する読取部を用いて原稿の読取りを行なう画像読取装置の制御プログラムであって、
前記複数の画素のそれぞれは、前記原稿からの光を検出する光電変換部を含み、
前記読取部上を搬送される原稿を、前記読取部の複数の画素のうち、斜めのラインに並ぶ複数の画素を用いて読取る読取ステップをコンピュータに実行させる、画像読取装置の制御プログラム。
【発明の詳細な説明】
【技術分野】
【０００１】
この発明は画像読取装置、画像読取装置の制御方法、および画像読取装置の制御プログラムに関し、特に、２次元の画像を読取ることができる画像読取装置、画像読取装置の制御方法、および画像読取装置の制御プログラムに関する。
【背景技術】
【０００２】
電子写真式の画像形成装置（スキャナ機能、ファクシミリ機能、複写機能、プリンタとしての機能、データ通信機能、およびサーバ機能を備えたＭＦＰ（Ｍｕｌｔｉ  Ｆｕｎｃｔｉｏｎ  Ｐｅｒｉｐｈｅｒａｌ）、ファクシミリ装置、複写機など）には、紙の文書から画像を読取るイメージスキャナ（画像読取装置の一例）が備えられている。
【０００３】
イメージスキャナとして現在一般的に利用されているものは、縮小光学系の装置である。縮小光学系には、ミラースキャン方式とユニットスキャン方式とがある。
【０００４】
これら縮小光学系の方式では、いずれもユニットに１次元センサを搭載し、それを走査することで２次元画像を読み取っている。従ってユニットが走査する時間がかかるため、高速化に限界がある。
【０００５】
そこで、将来的にはメカ移動機構のないセンサを原稿設置面全体に配置することでエリアセンサとし、省スペースかつ短時間で画像を読取ることができるスキャナが提案されている。２次元エリアセンサは短時間で（瞬時に）積載原稿データを読取ることができ、読取りセンサを搭載したモジュールが移動することがないので、モジュール移動時に発生する振動の影響がなく、画質も向上するという効果がある（ピッチムラや色ずれを少なくすることができる）。これにより２次元エリアセンサは、将来のスキャナとして注目されている。
【０００６】
２次元画像読取装置（エリアセンサ）を構成する各画素には、ＲＧＢの各色光源部と受光センサ部（光電変換部）とが備えられる。読取時は、ＲＧＢ各色光源を順次点灯し、原稿から反射した光を受光センサ部で読取る。そしてＲＧＢ各色のデータを重ね合わせて出力とする。
【０００７】
また従来より、複写機等の画像読取装置として、原稿をローラ等で搬送し、原稿が読取ガラスを通過しているときに画像を読取るシートスルー方式の装置がある（このような装置の原稿搬送に用いられる原稿自動搬送装置を、以下「ＡＤＦ」と称する）。ＡＤＦを利用することにより、複数枚の原稿を高速で読取ることが可能である。
【０００８】
下記特許文献１には、原稿ページ全体を同時に露光し、照明された原稿から２次元センサでイメージデータを取得するデジタルイメージ形成装置が記載されている。
【特許文献１】特開平８−３００７５号公報
【発明の開示】
【発明が解決しようとする課題】
【０００９】
２次元エリアセンサの画像読取装置において、ＡＤＦを使用して原稿を読取る際に、従来の１次元センサでの読取りと同様に、エリアセンサの短辺側もしくは長辺側と平行な１本のラインセンサ部分を利用して画像を読取ることができる。しかしながら、これでは１次元センサ式と同じサイズの原稿までしか読取ることができず、２次元センサの利点を活かしきれていない。
【００１０】
この発明はそのような問題点を解決するためになされたものであり、従来の１次元センサ式の画像読取装置では読取ることができなかった、大サイズの原稿を読取ることができる画像読取装置、画像読取装置の制御方法、および画像読取装置の制御プログラムを提供することを目的としている。
【課題を解決するための手段】
【００１１】
上記目的を達成するためこの発明のある局面に従うと、画像読取装置は、２次元に配列された複数の画素を有する読取部を用いて原稿の読取りを行なう画像読取装置であって、複数の画素のそれぞれは、原稿からの光を検出する光電変換部を含み、読取部上を搬送される原稿を、読取部の複数の画素のうち、斜めのラインに並ぶ複数の画素を用いて読取る読取手段を備える。
【００１２】
好ましくは複数の画素のそれぞれは、原稿を照射する光源部と、原稿からの反射光を受光する撮像素子とを含み、原稿は、原稿自動搬送装置で搬送され、読取手段は、原稿を、読取部の短辺および長辺のいずれにも平行でない１次元のエリアを利用して読取る。
【００１３】
好ましくは読取部は、読取ガラスを備え、読取部は、セットされた原稿を全面または一部の面で読取ることが可能であり、読取部は、読取ガラスの原稿読取位置において、搬送される原稿の画像を、読取ガラスを通して読取ることが可能である。
【００１４】
好ましくは斜めのラインは、主走査方向に１つ進んだ画素、およびその画素から副走査方向に１つ進んだ画素の選択を繰り返すことにより形成されるラインである。
【００１５】
好ましくは斜めのラインは、主走査方向および副走査方向それぞれに１つ進んだ画素の選択を繰り返すことにより形成されるラインである。
【００１６】
好ましくは読取部の１画素の縦横比は、読取部の読取エリアの縦横比と同じである。
【００１７】
好ましくは原稿を搬送する原稿自動搬送装置は、読取部の面に対して垂直方向にある回転軸を中心に回転することが可能に取付けられる。
【００１８】
好ましくは複数の画素のそれぞれは、光源部として、エレクトロルミネッセンス素子を含み、画素毎に配置された薄膜トランジスタにより、その発光が制御される。
【００１９】
好ましくは複数の画素のそれぞれは、光源部として、白色バックライト光源とカラーフィルタと液晶パネルとを含み、画素毎に配置された薄膜トランジスタにより、その発光が制御される。
【００２０】
この発明の他の局面に従うと、２次元に配列された複数の画素を有する読取部を用いて原稿の読取りを行なう画像読取装置の制御方法において、複数の画素のそれぞれは、原稿からの光を検出する光電変換部を含み、制御方法は、読取部上を搬送される原稿を、読取部の複数の画素のうち、斜めのラインに並ぶ複数の画素を用いて読取る読取ステップを備える。
【００２１】
この発明のさらに他の局面に従うと、２次元に配列された複数の画素を有する読取部を用いて原稿の読取りを行なう画像読取装置の制御プログラムにおいて、複数の画素のそれぞれは、原稿からの光を検出する光電変換部を含み、プログラムは、読取部上を搬送される原稿を、読取部の複数の画素のうち、斜めのラインに並ぶ複数の画素を用いて読取る読取ステップをコンピュータに実行させる。
【発明の効果】
【００２２】
これらの発明に従うと、従来の１次元センサ式の画像読取装置では読取ることができなかった、大サイズの原稿を読取ることができる画像読取装置、画像読取装置の制御方法、および画像読取装置の制御プログラムを提供することが可能となる。
【発明を実施するための最良の形態】
【００２３】
以下、本発明の実施の形態における、画像読取装置について説明する。画像読取装置は、２次元に配列された複数の撮像素子を供える。画像読取装置は、等倍結像（センサ（撮像素子）自体の解像度と原稿自体の読取解像度とが等しい）方式を採用する。すなわち画像読取装置は、原稿の画像情報をエリアタイプのイメージセンサ部で読取り、光電変換、画像処理を行なう密着型２次元画像読取装置である。
【００２４】
画像読取装置は、発光層と、その発光輝度や発光タイミングをコントロールする発光制御部と、載置された原稿の反射光を検出する光電変換層と、光電変換層で発生した信号電荷を画像データ（画像信号）に変換し、処理する画像信号制御部とを備える。
【００２５】
撮像素子としてはフォトダイオードが用いられる。１画素は、ＥＬ（エレクトロルミネッセンス）素子とフォトダイオードと薄膜トランジスタとで構成される。光源はＥＬ素子でなくともよい。
【００２６】
図１は、本発明の実施の形態の１つにおける画像読取装置の外観を示す斜視図である。
【００２７】
図を参照して、画像読取装置１は、２次元に配列された複数の撮像素子を含む読取部２を備える。
【００２８】
図２は、画像読取装置の平面図である。
【００２９】
読取部２は、複数の画素部３で構成される。１つの画素部３は、光源部４とセンサ部５とで構成されている。光源部は、ＲＥＤ光源、ＧＲＥＥＮ光源、およびＢＬＵＥ光源を含む（それぞれを異なるハッチングで示す）。
【００３０】
図３は、読取部２の断面構成の概略を示す図である。
【００３１】
読取部２は、光源／センサ層８を、電源供給および制御用のＩＴＯ（酸化インジウム錫）層７および基板９で挟み込むように構成される。
【００３２】
画像読取時、点灯対象画素の光源／センサ層８の光源部４に電源が供給され、その画素が点灯する。発生した光は、透明のＩＴＯ層７を透過し、ＩＴＯ層７の上面に載置された原稿６に照射される。これにより、原稿の濃度に応じた反射光が発生する。
【００３３】
読取対象画素のセンサ部５は、原稿からの反射光を受光し、光電変換により反射光に応じた電圧を発生させる。各画素で発生した電圧が検出され、画像処理部で原稿の２次元画像が再構成される。
【００３４】
各画素部３の光源部４で、赤色、青色、緑色の３色が順次個別に点灯し、各色の光の点灯時にセンサ部５で発生する電圧を検出することにより、カラー読取りも可能である。
【００３５】
光源の点灯については、読取対象画素に対し、読取対象画素の光源のみ点灯させてもよいし、隣接する画素の光源も点灯させてもよいし、全画素の光源を点灯させてもよい。
【００３６】
なお、ＩＴＯ層７は、原稿ガラス（読取りガラス）を含む層としてもよい。
【００３７】
図４は、画像読取装置の回路構成を示すブロック図である。
【００３８】
読取部２には、縦横に複数の画素部３が設けられる。列方向駆動回路１２５と、行方向駆動回路１２７とによりＸ，Ｙ方向のどの画素を発光させるか、Ｘ，Ｙ方向のどの画素で画像の読取を行なうか、Ｘ，Ｙ方向のどの画素を発光も読取りも行なわない待機状態とさせるかが制御される。列方向駆動回路１２５および行方向駆動回路１２７は、画素部３の光電変換層で発生した信号電荷を画像信号として処理する画像信号制御部の機能を備える。
【００３９】
各画素部には、薄膜トランジスタが配置され、これにより発光が制御される。
【００４０】
列方向駆動回路１２５および行方向駆動回路１２７のそれぞれは、駆動回路１２３に接続され、ＣＰＵ１２１により駆動される。すなわち外部からの読取命令に従って読取部２は読取動作を開始し、それにより得られた読取りデータはＣＰＵ１２１を介して出力される。
【００４１】
画像読取装置は、複写機、スキャナ等に搭載される。また画像読取装置は、その上にＡＤＦを積層させて用いられる。原稿自動搬送時の読取りを２次元エリアの斜め（好ましくは対角）のラインを用いて行なうことで、１次元センサ式と比較して、より大きな原稿を読取ることが可能となる。これにより、原稿を２次元エリアに手置きすることで読取ることができる原稿面積よりも、大きな原稿を読み取ることができる。
【００４２】
すなわち２次元エリアスキャナの利点を考えた際、例えばＡＤＦスキャンで読取りに使用する１次元エリアを、エリアセンサの対角方向に選ぶことで、その対角線長さを読取原稿幅とすることができる。
【００４３】
現行のミラースキャンを行なうスキャナ、ユニットのスキャナでは、１次元の読取りラインが移動することによって２次元の原稿を読取るため、流し撮りできる方向は１次元センサの配置方向と直交する方向に限られていた。２次元センサを用いると、そのような制約がなくなり、ＡＤＦ使用時の読取りラインは、センサが配置されている面の中で自由に取ることができる。そこでライン距離が長く取れる、エリアセンサ中の斜め方向を利用することによって、従来の同一サイズの１次元ラインセンサ式の画像読取装置よりも大きな原稿を読取ることが可能となる。
【００４４】
図５は、画像読取装置１の上にＡＤＦ１３を載置した状態を示す斜視図である。
【００４５】
ＡＤＦ１３は、回転軸２２を中心に画像読取装置１に対して回転可能とされており、ＡＤＦ１３の未使用時、または読取部２を構成する長方形の辺に平行なラインを用いてＡＤＦでの原稿読取を行なう時などにおいては、図５のように画像読取装置１の側辺とＡＤＦ１３の側辺とを重ね合わせることで、ＡＤＦ１３を突出部なく収めることができる。
【００４６】
また、原稿の手置き読取を可能とするために、ＡＤＦ１３を画像読取装置１に対して開放可能とすることが望ましい。例えば、ＡＤＦの一端をヒンジにより画像読取装置１に固定するなどである。
【００４７】
図６は、図５の状態から回転軸２２を中心としてＡＤＦ１３を時計回りに回転させた状態を示す図である。
【００４８】
原稿自動搬送時の読取りを２次元エリアの斜め（対角）のラインを用いて行なう場合に、ＡＤＦを正しい位置で固定できるように、画像読取装置１の端部にはＡＤＦの回転ストッパー２１が設けられている。図６におけるＡＤＦ１３の手前左側が、円弧の形状とされていることで（または角を落としてあることで）、ＡＤＦ１３を図５の状態から図６の状態へ回転させること、また、図６の状態から図５の状態へ回転させることが可能である。
【００４９】
図６の状態においてＡＤＦ１３に複数枚の原稿をセットし、ＡＤＦ１３により原稿を送ると、原稿を、２次元エリアの斜め（対角）のラインに直交する方向に通過させることができる。これにより、通過中の原稿面を当該ラインの位置で読取ることが可能である。
【００５０】
図７は、図６の状態におけるＡＤＦ１３と画像読取装置１との位置関係を示す平面図である。
【００５１】
図に示されるように、画像読取装置１の左部分に回転軸２２があり、回転軸２２を中心としてＡＤＦ１３は回転することができる。ストッパー２１によりその時計回り方向の回動範囲は制限されている。また、その反時計回り方向の回動範囲も画像読取装置１の奥側に設けたストッパーで制限することが望ましい。
【００５２】
読取部２の読取エリアの幅の概略が、Ｗ１で示されており、画像読取装置１の幅は、Ｗ１＋Ｗ３で示されている。ＡＤＦ１３の幅は、Ｗ２で示されている。
【００５３】
ＡＤＦ１３を画像読取装置１と重ね合わせた状態で、ほぼＷ２がＷ１＋Ｗ３と等しくなるようにサイズが定められている。また、ＡＤＦ１３を画像読取装置１と重ね合わせた状態では、ＡＤＦの原稿通過ライン１２’は、読取部２の長辺と平行となる。なお、ＡＤＦの原稿通過ラインとは、原稿の搬送方向に直交するラインである。
【００５４】
ＡＤＦ１３を画像読取装置１と重ね合わせた状態では、読取部２の長辺と平行なラインを構成する画素によって原稿をスキャンすることができる。
【００５５】
一方、ＡＤＦ１３が点線で示される位置にあるときには、ＡＤＦの原稿通過ライン１２は、読取部２の対角線と平行となる。これにより、読取部２の対角線を構成する画素によって原稿をスキャンすることができ、ＡＤＦ１３を画像読取装置１と重ね合わせた状態においてよりも広い幅で原稿をスキャンすることができる。
【００５６】
すなわち、ＡＤＦ１３を画像読取装置１と重ね合わせた状態においては、読取り可能な最大の原稿幅はＷ１程度であるが、ＡＤＦ１３が点線で示される位置にあるときには、読取り可能な最大の原稿幅はＷ２に近くなる。
【００５７】
なお、読取部２（原稿設置エリア）にＡＤＦの原稿通過ライン１２を設定するときに、図７の例では、当該ラインを原稿設置エリアの対角線としたが、原稿設置エリアを構成する四角形の辺と平行でない向きのラインであって、対角線ではないラインを原稿通過ラインとしてもよい。このようにすることで、原稿設置エリアを構成する四角形の各辺の長さ以上の幅を持つ原稿の読取りが可能となる。
【００５８】
但し、図７に示されるように、原稿設置エリアの対角にＡＤＦ読取ライン１２を配置することで、読取ることができる原稿サイズは最も大きくなる。
【００５９】
ＡＤＦ１３に積載された原稿は、搬送され、ＡＤＦ読取ライン１２を通過し、原稿の読取りが行なわれる。
【００６０】
ＡＤＦ未使用時は、図５のようにＡＤＦが画像読取装置と重なる位置まで回転することで装置の省スペース化を図ることができる。
【００６１】
次に、ＡＤＦ読取ライン１２の設定方法について説明する。ＡＤＦ読取ライン１２を、原稿設置エリアを構成する四角形の辺と平行でない向きのラインに設定する場合、原稿設置エリア内で、読取るための１ライン（あるいは数ライン）を斜めに選択することになる。
【００６２】
図８は、ＡＤＦ読取ライン１２の設定方法を示す図である。
【００６３】
図８に示すように１画素ずつの画素を、主走査方向、副走査方向、主走査方向、・・・と順番に選択することで斜めのラインを形成し、このラインを読取りに利用することが可能である。このように読取ラインを構成すると、読取時の見かけの画素間隔が縮まり、画質の向上が見込める。すなわち各画素が正方形である場合、各画素中心から引いた斜め線の間隔Ｐが縮まり、高解像度化が図られる。
【００６４】
図９は、ＡＤＦ読取ライン１２の他の設定方法を示す図である。
【００６５】
通紙原稿の１ラインの読取りのタイミングが同タイミングでなければ、光電変換された電荷は画素ごとで蓄積時間に差が発生し、ノイズ量が変わり画質が低下する可能性がある。例えば図８のように、読取画素の選択をジグザグにすると、ラインＬ１とラインＬ２とで読取りタイミングに差が出る可能性がある。
【００６６】
そこで、図９のように斜め方向に画素を選択し、ラインＬ３を１本だけとすることで、読取タイミングを全く同じにすることもできる。
【００６７】
［変形例］
【００６８】
図１０は、原稿設置エリア内の各画素が正方形である場合において、縦横比（Ａ：Ｂ）が異なる原稿設置エリアを示す図である。
【００６９】
原稿設置エリアの縦方向のサイズがＡ、横方向のサイズがＢであるものとする。
【００７０】
この場合、図８または９のようにＡＤＦ読取ライン１２を設定すると、そのラインは点線で示される、Ａ×√２の長さのラインとなる。これにより、ＡＤＦ読取ライン１２が原稿設置エリアの対角線とならない。原稿は、ＡＤＦ読取ラインに直交する矢印方向に搬送する必要がある。
【００７１】
図１１は、変形例における原稿設置エリア内の各画素の構成を示す図である。また図１２は、変形例におけるＡＤＦ読取ラインの画素を示す斜視図である。
【００７２】
変形例ではセンサの１画素（各画素）の大きさが、原稿設置エリア（２次元エリア）と相似にされている。すなわち、原稿設置エリアの縦方向のサイズがＡ、横方向のサイズがＢ、１画素の縦方向のサイズがａ、１画素の横方向のサイズがｂであるものとすると、Ａ：Ｂ＝ａ：ｂとなるように画素サイズと原稿設置エリアのサイズとが決定される（各画素の縦横比を原稿設置エリア１１の縦横比と同じにしている）。
【００７３】
これにより、図８に示すような主走査方向、副走査方向、主走査方向、・・・と交互に画素を選択して読取る方法（交互読取）を採用した場合でも、図９のように１ラインを選択する方法を採用した場合でも、２次元エリアの最長距離（対角線）をＡＤＦ読取ライン１２とすることができる。結果として、ＡＤＦによる読取り可能な原稿サイズが最大となる（原稿設置エリア内の最長距離となる対角線長さをＡＤＦ読取りに利用することが可能となる）。原稿は、図１２に示されるように、ＡＤＦ読取ライン１２に直交する矢印方向に搬送される。
【００７４】
［斜めラインでのＡＤＦ読取りの効果について］
【００７５】
図１３は、原稿設置エリアの大きさと、その対角線の長さの関係を示す図である。
【００７６】
原稿設置エリアの大きさが、Ａ１、Ｂ２、Ａ２、Ｂ３、Ａ３、Ｂ４、Ａ４のそれぞれであった場合の、そのエリアの短辺のサイズと、長辺のサイズと、対角線のサイズとが記載されている。
【００７７】
例えば原稿設置エリアのサイズがＡ３であった場合に、その長辺をＡＤＦ読取ラインとしてＡＤＦを用いて原稿の読取りを行なうと、ＡＤＦ読取ラインの長さは、４２０ｍｍとなる。これに対して、Ａ３の原稿設置エリアの対角線を用いて読取りを行なうと、ＡＤＦ読取ラインの長さは５１５ｍｍとなる。これにより、Ａ３の原稿設置エリアを用いて、Ｂ２サイズの原稿をＡＤＦで読取ることが可能となることがわかる。
【００７８】
同様に、Ａ４の原稿設置エリアの対角線を用いて読取りを行なうと、最大Ｂ３の原稿をＡＤＦで読取ることが可能となる。
【００７９】
このように、原稿設置エリアの対角線をＡＤＦ読取ラインとした場合、ＡＤＦ読取ラインを搬送原稿の短辺側とすることで、原稿設置エリアのサイズよりも、はるかに大きな原稿を読取ることが可能であることがわかる。
【００８０】
［実施の形態における効果］
【００８１】
以上の構成により、複数の画素を有する密着型２次元画像読取装置において、大サイズ原稿をＡＤＦで読み取るために、ＡＤＦ使用時の読取ラインを２次元エリアセンサの斜め方向（好ましくは対角方向）に取ることとしている。
【００８２】
より詳しくは画像読取装置は、光源部と原稿からの反射光を受光する受光部とを１つの画素に備えた撮像素子を複数有するスキャナを備える。スキャナにより、手置きでセットされた原稿をセット面全面で読取ること、または一部面で読取ることができる。スキャナは、読取ガラスと、ＡＤＦと、ＡＤＦで搬送された原稿の画像を読取ガラスを通して読取る読取部とを有する。ＡＤＦで搬送された原稿は、スキャナの読取ガラスの短辺および長辺のいずれとも平行ではない１次元エリアを利用して読取られる。
【００８３】
これにより、ＡＤＦで原稿を読取る場合、従来の１次元センサを用いて読取ることができていた原稿よりも、さらに大きな原稿を読取ることが可能となる。また、ＡＤＦで読取り可能な原稿サイズの上限が同じスキャナであれば、従来の１次元センサを利用したスキャナと比較して、小サイズな装置構成にすることができる。
【００８４】
また、読取りに使用する１次元エリアの選択において、主走査方向および副走査方向を交互に一画素ずつ進んでいった画素を選択することで（斜めラインを交互に画素を選んで構成することで）、画素間隔が縮まり、見かけの解像度が増え、画質の向上が見込まれる。
【００８５】
搬送された原稿が撮像素子を通過するタイミングは、読取ライン全体で同時であることが画像ノイズを少なくするには理想である。そこで、読取りに使用する１次元エリアの選択において、主走査方向および副走査方向に一画素ずつ進んでいった画素を選択することで、ＡＤＦ読取原稿幅を大きくし、かつ読取りを同タイミングで行なうことができる。
【００８６】
また、撮像素子の１画素あたりの縦横比を、読取ガラスの読取エリアの縦横比と同じとすることで、読取エリアの最大長さとなる対角線長さの原稿を容易に読取ることが可能となる。
【００８７】
また対角線を用いた原稿読取を行なうと、ＡＤＦが画像読取装置と平行に配置されないため、ＡＤＦが画像読取装置からはみ出してしまい、設置面積が大きくなってしまうという問題がある。そこで、読取ガラスに対して垂直方向にある回転軸を中心にＡＤＦを回転可能に構成することで、ＡＤＦ未使用時には省スペース化を図るようにすることが望ましい。
【００８８】
すなわち、ＡＤＦの読取りのラインを読取ガラスの対角方向にすると、ＡＤＦ原稿通紙経路が読取ガラスに対して平行でない角度に配置されることになる。これにより、ＡＤＦ底面が画像読取装置からはみ出ることが予想されるが、ＡＤＦを読取原稿ガラスとは垂直方向にある回転軸を中心に回転させることで、未使用時はコンパクトにＡＤＦを収納することができる。
【００８９】
なお、ＡＤＦは画像読取装置に対して相対的に位置を変えることができればよく、例えば画像読取装置をＡＤＦに対して移動させるようにしてもよい。
【００９０】
［その他］
【００９１】
なお、画素部の光源としては、エレクトロルミネッセンス素子を用い、画素毎に配置した薄膜トランジスタによりその発光を制御してもよいし、白色バックライト光源とカラーフィルタと液晶パネルを用い、画素毎に配置した薄膜トランジスタによりその発光を制御してもよい。すなわち、液晶表示装置に複数の読取素子を備えたタイプの画像読取装置にも本発明を適用することができる。
【００９２】
ＡＤＦを用いて読取りを行なう際には、ＡＤＦ原稿通過ライン（ＡＤＦ読取ライン）の部分の画素のみを点灯させてもよいし、ＡＤＦ原稿通過ラインの部分の画素のみを撮像状態としてもよい。
【００９３】
なお、特定位置の画素を撮像状態にして原稿の画像情報を読取る手法としては、画素部で発生した信号電荷をスイッチングによって電圧データとして検出する、いわゆるＣＭＯＳタイプの信号処理が有効である。
【００９４】
画像読取装置は、モノクロ／カラーの複写機、プリンタ、ファクシミリ装置やこれらの複合機（ＭＦＰ）などの画像形成装置に設けられてもよい。
【００９５】
上述の実施の形態における処理は、ソフトウエアによって行なっても、ハードウエア回路を用いて行なってもよい。
【００９６】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【００９７】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９８】
【図１】本発明の実施の形態の１つにおける画像読取装置の外観を示す斜視図である。
【図２】画像読取装置の平面図である。
【図３】読取部２の断面構成の概略を示す図である。
【図４】画像読取装置の回路構成を示すブロック図である。
【図５】画像読取装置１の上にＡＤＦ１３を載置した状態を示す斜視図である。
【図６】図５の状態から回転軸２２を中心としてＡＤＦ１３を時計回りに回転させた状態を示す図である。
【図７】図６の状態におけるＡＤＦ１３と画像読取装置１との位置関係を示す平面図である。
【図８】ＡＤＦ読取ライン１２の設定方法を示す図である。
【図９】ＡＤＦ読取ライン１２の他の設定方法を示す図である。
【図１０】原稿設置エリア内の各画素が正方形である場合において、縦横比（Ａ：Ｂ）が異なる原稿設置エリアを示す図である。
【図１１】変形例における原稿設置エリア内の各画素の構成を示す図である。
【図１２】変形例におけるＡＤＦ読取ラインの画素を示す斜視図である。
【図１３】原稿設置エリアの大きさと、その対角線の長さの関係を示す図である。
【符号の説明】
【００９９】
１  ２次元画像読取装置
２  読取部（原稿設置エリア）
３  画素部
４  光源部
５  センサ部
６  原稿
７  ＩＴＯ層
８  光源／センサ層
９  基板
１２  ＡＤＦ原稿通過ライン（ＡＤＦ読取ライン）
１３  ＡＤＦ
２１  回転ストッパー
２２  回転軸
【図１】
2010081467.tif 000003
【図２】
2010081467.tif 000004
【図３】
2010081467.tif 000005
【図４】
2010081467.tif 000006
【図５】
2010081467.tif 000007
【図６】
2010081467.tif 000008
【図７】
2010081467.tif 000009
【図８】
2010081467.tif 000010
【図９】
2010081467.tif 000011
【図１０】
2010081467.tif 000012
【図１１】
2010081467.tif 000013
【図１２】
2010081467.tif 000014
【図１３】
2010081467.tif 000015